(57)【要約】【課題】  長尺のグリップ１内に上面両側が庇状に張り出した先端部分を偏平Ｃ状としてホルダー部２を内装固定し、前記ホルダー部に長尺薄板状の切刃体３をホルダー部先端からスライド操作で出没可能に組み込んでなるカッターナイフにおいて、器具使用時に邪魔にならない切刃体の固定機構を設ける。【解決手段】切刃体３の下面にスライド自在とし、ホルダー部２の先端への進出で切刃体をホルダー部の庇部先端２１ａに押圧する固定板５と、グリップ１の後端に突設した固定ネジ棒１１に螺合する操作ナット６２を設けると共に、前記固定板５と連結した固定板操作体６とで固定機構を構成する。【選択図】図１
0003219911.tif 000002
【実用新案登録請求の範囲】
【請求項１】
長尺のグリップ内に上面両側が庇状に張り出した先端部分を偏平Ｃ状としてホルダー部を内装固定し、前記ホルダー部に長尺薄板状の切刃体をホルダー部先端からスライド操作で出没可能に組み込んでなるカッターナイフにおいて、切刃体の下面にスライド自在とし、ホルダー部先端への進出で切刃体をホルダー部の庇部に押圧する固定板と、グリップ後端に突設した固定ネジ棒に螺合する操作ナットを設けると共に、前記固定板と連結した固定板操作体とで構成した固定機構を備えてなることを特徴とする出没式カッターナイフ。
【請求項２】
ナイフ体の突出位置を設定するためにホルダー部の庇部縁辺に連続する係止歯を形成すると共に、切刃体に前記係止歯に噛合する弾性係止突部を備えたナイフ操作体を切刃体に連結してなる請求項１記載の出没式カッターナイフ。
【請求項３】
固定板の後方部分を下方開口コの字状に形成して側面板に連結軸を設け、固定板操作体に操作ナットを回転自在に抱持すると共に、連結軸に対応する連結腕を設け、連結腕を前記連結軸に回動可能に枢結して、グリップ後端を開閉可能に固定板と固定板操作体を連結してなる請求項１又は２記載の出没式カッターナイフ。
【考案の詳細な説明】
【技術分野】
【０００１】
本考案は出没式カッターナイフに関するものである。
【背景技術】
【０００２】
出没式カッターナイフは、長尺グリップ内に上面両側が庇状に張り出した偏平Ｃ状のホルダー部を内装固定し、前記ホルダー部にナイフ体（長尺薄板状の切刃体）をスライド自在に組み込み、ナイフ体の突出位置を設定するために庇部の縁部に連続する係止歯を形成すると共に、ナイフ体に前記係止歯に噛合する弾性係止突部を備えた操作体をナイフ体に設けてなるものである。
【０００３】
前記のカッターナイフは、操作体のスライド操作で係止突部と係止歯の噛合位置で係止状態となり使用することになるが、当該係止時状態での操作に際して、係止が解除してしまうとナイフ体が後退してしまうので、固定機構が設けられている。
【０００４】
固定機構は特許文献１，２に示されるように操作体に貫通装着した固定ボルトを螺合操作してホルダー部底面を押圧して操作体を固定するようにしている。
【先行技術文献】
【特許文献】
【０００５】
【特許文献１】実公平７−４０３６３号公報。
【特許文献２】実用新案登録３１９６３０６号公報。
【考案の概要】
【考案が解決しようとする課題】
【０００６】
操作体に固定ネジを設けた場合には当該固定ネジの操作頭部がグリップの側面から突出することになり、グリップを握持しての切断操作に際して、固定ネジの操作頭部の突出が邪魔になる。
【０００７】
そこで本考案は、固定機構の操作部分をグリップ尾端に設けた新規なカッターナイフを提案したものである。
【課題を解決するための手段】
【０００８】
本考案に係るカッターナイフは、長尺のグリップ内に上面両側が庇状に張り出した先端部分を偏平Ｃ状としてホルダー部を内装固定し、前記ホルダー部に長尺薄板状の切刃体をホルダー部先端からスライド操作で出没可能に組み込んでなるカッターナイフにおいて、切刃体の下面にスライド自在とし、ホルダー部先端への進出で切刃体をホルダー部の庇部分に押圧する固定板と、グリップ後端に突設した固定ネジ棒に螺合する操作ナットを設けると共に、前記固定板と連結した固定板操作体とで構成した固定機構を備えてなることを特徴とするものである。
【０００９】
而して切刃体をホルダー部先端より突出させた状態で、固定ネジ棒に螺合した操作ナットを回転操作すると、固定板操作体で固定板を押し出し、固定板先端でナイフ体をホルダーの庇部分に押し上げ押圧することになって、切刃体が固定状態となるものである。
【００１０】
また本考案の請求項２記載の出没式カッターナイフは、切刃体の突出位置を設定するためにホルダー部の庇部縁辺に連続する係止歯を形成すると共に、切刃体に前記係止歯に噛合する弾性係止突部を備えたナイフ操作体を切刃体に連結してなるもので、従前と同様に切刃体の出没を係止歯にあわせた段階的操作によってなされる。
【００１１】
また本考案の請求項２記載の出没式カッターナイフは、固定板の後方部分を下方開口コの字状に形成して側面板に連結軸を設け、固定板操作体に操作ナットを回転自在に抱持すると共に、連結軸に対応する連結腕を設け、連結腕を前記連結軸に回動可能に枢結して、グリップ後端を開閉可能に固定板と固定板操作体を連結してなるもので、固定板操作体の操作ナットと固定ネジとの連結を解くと、固定板操作体はグリップとの軸方向の連結が解除されて連結軸を中心に回動可能な状態となり、そして回動するとグリップ後端が開口してナイ操作体と連結した切刃体をグリップ（ホルダー部）からの着脱を行うことができる。
【考案の効果】
【００１２】
本考案は上記のとおりグリップ後端位置に設けた固定板操作体の操作ナットの操作により切刃体の固定及び固定解除を行うようにしたもので、切断操作時（ナイフ使用時）に固定機構が邪魔にならない。
【図面の簡単な説明】
【００１３】
【図１】本考案の実施形態の全体斜視図（切刃体の分離状態）。
【図２】同図（切刃体装着状態）。
【図３】同グリップ後端解放時を示す参考図（切刃体非装着状態）。
【図４】同全体の側面図（切刃体非装着状態）。
【図５】同図（切刃体非装着状態）。
【考案を実施するための形態】
【００１４】
次に本考案の実施形態について説明する。実施形態に示した出没式カッターナイフは基本的に従前の構造と同様に、グリップ１内にホルダー部２を設け、ホルダー部２に長尺薄板状の切刃体３を先端から出没自在に装着し、切刃体３にナイフ操作体４を設けたものである。更に固定機構として固定板５と固定板操作体６を備えてなる。
【００１５】
グリップ１は、持ち手となる扁平棒状外形を備え、内部にホルダー部２を組み込んで固定しているものである。特に開口尾端には、固定ネジ棒１１を突設してなるものである。
【００１６】
ホルダー部２は、上面両側が庇状（庇部２１）に張り出した偏平Ｃ状としてなるもので、庇部２１の縁辺には連続する矩形波形状の係止歯２２を形成してなり、特に庇部２１先端箇所は、底面２３と先端庇部２１ａの間隙を狭く形成したものである。
【００１７】
切刃体３は、従前の出没式カッターナイフと同様に長尺薄板状の切刃であって、基端にナイフ操作体４との連結孔３１を形成してなる。
【００１８】
ナイフ操作体４は、出没式カッターナイフでは周知構造のベース部４１とベース部４１の上方に前後スライド可能に設けた操作部４２を備え、ベース部４１の先方に連結孔３１に篏合する連結突起４３を設け、ベース部４１と操作部４２で庇部２１を挟むように装着すると共に、庇部２１の係止歯２２に対抗する箇所に、操作部４２のスライド動作（前進後退の双方の動作）に対応して出没する係止部（図示せず）を設けてなるものである。
【００１９】
固定板５は、先端５１を跳ね上げ形成し、ホルダー部２の底面２３上に載置したて前後移動可能に組み込んでなるもので、特に後端部分は開口コの字状に形成して側面板５２に連結軸５３を設けたものである。
【００２０】
固定板操作体６は、連結軸５３に対応する連結腕６１を設け、連結腕６１を前記連結軸５３に回動可能に枢結して、グリップ１の後端箇所を開閉可能に固定板５と連結してなると共に、グリップ１の後端に突設した固定ネジ棒１１に螺合する操作ナット６２を、回転自在に抱持してなる。
【００２１】
而して図１に示すように操作ナット６２を固定ネジ棒１１との螺合を解除し、固定板操作体６をグリップ１から離し、連結軸５３を中心回動すると、グリップ１及びホルダー部２の後端部分が開放状態となる。そこでナイフ操作体４の連結突起４３に切刃体３の連結孔３１を連結し、切刃体３を庇部２１の下方に差し入れ、ナイフ操作体４をベース部４１と操作部４２とで庇部２１を上下に挟むように装着する。
【００２２】
装着された切刃体３及びナイフ操作体４は、操作部４２のスライド動作によって係止歯２２との係合を解除し、切刃体３の出没操作を行うものである。
【００２３】
切刃体３及びナイフ操作体４を装着した後、固定板操作体６を回動したグリップ１の開放した後端に対向させ、操作ナット６２を固定ネジ棒１１に螺合する。
【００２４】
そこで固定板操作体６は固定ネジ棒１１と操作ナット６２の螺合操作によって進退することになり、同時に固定板５も進退する。固定板５の進退は上方に跳ね上がった先端５１が狭小の庇部先端２１ａの位置への進退となる。
【００２５】
前記の操作ナット６２の螺合操作によって固定板先端５１を庇部先端２１ａへ進出させると、固定板先端５１で庇部先端２１ａに位置する切刃体３を押し上げて切刃体３を固定状態とする。
【００２６】
従って操作ナット６２の螺合操作で出没操作される切刃体３の固定解除がなされるものである。
【符号の説明】
【００２７】
１      グリップ
１１    固定ネジ棒
２      ホルダー部
２１    庇部
２１ａ  庇部先端
２２    係止歯
２３    底面
３      切刃体
３１    連結孔
４      ナイフ操作体
４１    ベース部
４２    操作部
４３    連結突起
５      固定板
５１    先端
５２    側面板
５３    連結軸
６      固定板操作体
６１    連結腕
６２    操作ナット
【図１】
0003219911.tif 000003
【図２】
0003219911.tif 000004
【図３】
0003219911.tif 000005
【図４】
0003219911.tif 000006
【図５】
0003219911.tif 000007